(57)【要約】【課題】樹脂製メガネフレームは金属製メガネフレームにない特有の質感があり、根強い人気を保っているが、その多くは鼻当て部がメガネフレームに一体的に形成されており、個々の使用者の鼻に合わせて調整することが困難で、フィット感に欠ける欠点があった。【構成】長手方向を向かって長孔が形成されており、該長孔がほぼ上下方向を向く様に樹脂製メガネフレームの鼻当て部に固定される樹脂製の台座ブロックと、前記長孔に挿入される枢支軸が外側に植設されているノーズパッド本体とからなり、前記枢支軸を前記長孔に挿入することにより、メガネフレームの鼻当て部に対するノーズパッド本体の開き角度が調整出来る様になっている。【選択図】  図３
2009210952.tif 000002
【特許請求の範囲】
【請求項１】
長手方向を向かって長孔が形成されており、該長孔がほぼ上下方向を向く様に樹脂製メガネフレームの鼻当て部に固定される樹脂製の台座ブロックと、前記長孔に挿入される枢支軸が外側に植設されているノーズパッド本体とからなり、前記枢支軸を前記長孔に挿入することにより、メガネフレームの鼻当て部に対するノーズパッド本体の開き角度が調整可能になっていることを特徴とする樹脂製メガネフレーム用のノーズパッド。
【請求項２】
枢支軸がノーズパッド本体に一体的に植設されていることを特徴とする請求項１記載の樹脂製メガネフレーム用のノーズパッド。
【請求項３】
ノーズパッド本体が裏面にパッド脚が形成されている鼻当て板とパッド脚を収容するパッドボックスとからなり、パッドボックスから枢支軸が植設されている事を特徴とする請求項１記載の樹脂製メガネフレーム用のノーズパッド。
【発明の詳細な説明】
【技術分野】
【０００１】
この発明はメガネフレームの構成部品、詳しくは、樹脂製メガネフレーム用のノーズパッドに関するものである。
【背景技術】
【０００２】
メガネフレームには樹脂製のものと金属製のものが存在しており、樹脂製のメガネフレームは金属製にはない独特の質感を有する為、根強い人気を保っている。
【特許文献１】なし
【非特許文献１】なし
【発明の開示】
【発明が解決しようとする課題】
【０００３】
樹脂製のメガネフレームにおいては、多くの場合ノーズパッドはメガネフレームに一体的に形成されており、個々の使用者の鼻の形状に合わせて調整出来る様にはなっていなかった。従って、金属製のメガネフレームに比べ、フィット性において劣ることは否めず、この点が樹脂製のメガネフレームの大きな欠点であった。
【０００４】
この為、樹脂製のメガネフレームのノーズパッドのフィット性を向上させる試みもなされているが、デザインにおいて違和感があったり、メガネフレームに特殊な加工を施す必要があったり、あるいはコストにおいて問題があったりと、なかなか満足すべきものは見当たらなかった。
【０００５】
本発明者は樹脂製のメガネフレームのフィット性に関する上記従来の問題点に鑑み、鋭意研究を行った結果、樹脂製のノーズパッドに簡単に取り付けられ、フィット性を大幅に向上させることが出来るノーズパッドを開発することに成功し、本発明としてここに提案するものである。
【課題を解決するための手段】
【０００６】
長手方向を向かって長孔が形成されており、該長孔がほぼ上下方向を向く様に樹脂製メガネフレームの鼻当て部に固定される樹脂製の台座ブロックと、前記長孔に挿入される枢支軸が外側に植設されているノーズパッド本体とからなり、前記枢支軸を前記長孔に挿入することにより、メガネフレームの鼻当て部に対するノーズパッド本体の開き角度が調整可能になっているノーズパッドにより課題を解決した。
【発明の効果】
【０００７】
台座ブロックの長孔がほぼ上下方向を向く様に、その底面をメガネフレームの鼻当て部に接着や溶着により固定し、しかる後ノーズパッド本体を使用者の鼻に最もフィットする開き角度になる様に調整して使用に供するものであり、ノーズパッド本体の開き角度を自由に調整出来るので、販売の段階で個々の使用者の鼻によりフィットしたメガネフレームとすることが可能となる。
【発明を実施するための最良の形態】
【０００８】
ノーズパッド本体を枢支軸によって、その開き角度を自由に設定出来る様にしたことを最大の特徴とする。
【実施例１】
【０００９】
図１はこの発明に係る樹脂製メガネフレーム用のノーズパッドの実施例１の拡大斜視図、図２はメガネフレームへの取付要領を示す為、各部を分離して描いた斜視図、図３はメガネフレームに取り付けた状態の斜視図である。図中１は台座ブロックであり、長手方向前方が斜めに裁断されたかまぼこ形をなし、後端面から長手方向に長孔２が形成されており、合成樹脂を素材としている。一方、３はノーズパッド本体であり、長径と短径とを有する略楕円形をなした鼻接触板４の長径側側縁には突起６が一体的に形成されており、この突起６の端面７からは図２に示す通り、鼻接触板４に対し、角度θを保つ様に、斜めに枢支軸８が同じく一体的に植設されている。そして、この枢支軸８は前記台座ブロック１の長孔２に挿入されており、この枢支軸８を中心として台座ブロック１に対する鼻接触板４の相対角度即ち開き角度を変更出来る様になっている。
【００１０】
この樹脂製メガネフレーム用のノーズパッドは上記の通りの構成を有するものであり、台座ブロック１の長孔２がほぼ上下方向に向く様に、その底面１０をメガネフレームの鼻当て部９に接着や溶着により固定し、しかる後ノーズパッド本体３を使用者の鼻に最もフィットする開き角度になる様にその角度を調整し、その位置で溶着や接着によって長孔２と枢支軸８とを結合固定して使用に供する。従って、使用に供する前に、個々の使用者の鼻に合わせてノーズパッド本体３の開き角度を自由に調整し、よりフィットしたメガネフレームとすることが出来る。
【００１１】
なお、この実施例１では、台座ブロック１とノーズパッド本体３との相対角度は調整後に固定してしまう様になっているが、長孔２に枢支軸８を嵌合状態できつく挿入する様にしたり、長孔２の内径側及び枢支軸８の外径側にそれぞれ軸芯と平行に凹凸溝を形成するなどして、枢支軸８の開き角度変更の際に抵抗感を付与する様にしても良く、この場合には、使用開始後に必要に応じて適宜ノーズパッド本体３の開き角度を変更出来、より便利になる。
【実施例２】
【００１２】
図４はこの発明に係る樹脂製メガネフレーム用のノーズパッドの実施例２の拡大斜視図、図５はメガネフレームへの取付要領を示す為、各部を分離して描いた斜視図、図６はメガネフレームに取り付けた状態の斜視図である。図中１は台座ブロックであり、長手方向前方が斜めに裁断されたかまぼこ形をなし、後端面から長手方向に長孔２が形成されており、合成樹脂を素材としている。一方、３はノーズパッド本体であり、長径と短径とを有する略楕円形をなした鼻接触板４の裏面５の長径側端部寄りには突起６が一体的に形成されており、この突起６の端面７からは長径と平行でかつ裏面５から離れる方向に斜めに円柱状をなした枢支軸８が同じく一体的に植設されている。そして、この枢支軸８は前記台座ブロック１の長孔２に挿入されており、この枢支軸８を中心として台座ブロック１に対しｓてその相対角度即ち開き角度を変更出来る様になっている。
【００１３】
この実施例２は上記の通りの構成を有するものであり、台座ブロック１の長孔２がほぼ上下方向に向く様に、その底面１０をメガネフレームの鼻当て部９に接着や溶着により固定し、しかる後ノーズパッド本体３を使用者の鼻に最もフィットする角度になる様にその角度を調整し、その位置で溶着や接着によって長孔２と枢支軸８とを結合固定して使用に供する。従って、使用に供する前に、個々の使用者の鼻に合わせてノーズパッド本体３の開き角度を自由に調整し、よりフィットしたメガネフレームとすることが出来る。
【００１４】
なお、この実施例２では、台座ブロック１とノーズパッド本体３との相対角度は調整後に固定してしまう様になっているが、長孔２に枢支軸８を嵌合状態できつく挿入する様にしたり、長孔２の内径側及び枢支軸８の外径側にそれぞれ軸芯と平行に凹凸溝を形成するなどして、枢支軸８の開き角度変更の際に抵抗感を付与する様にしても良く、この場合には、使用開始後に必要に応じて適宜ノーズパッド本体３の開き角度を変更出来、より便利になる。
【実施例３】
【００１５】
図７はこの発明に係る樹脂製メガネフレーム用のノーズパッドの実施例３の各部を分離して描いた斜視図、図８はその拡大斜視図、この実施例３においては、裏面中央部にパッド脚１１が突設されているノーズパッド本体１２のパッド脚１１を収容するパッドボックス１３から枢支軸８が植設されており、この枢支軸８が台座ブロック１の長孔２に挿入、固定される様になっている。なお、他の部分は前述の実施例１及び２と同一であり、同一符号を付して説明を省略する。
【００１６】
この実施例３においては、従来のノーズパッド本体１２をそのまま用いることが出来、しかもノーズパッド本体１２のパッドボックス１３を支点とした揺動運動も行われるので、より一層使用者の鼻にフィットさせることが可能となる。なお、この実施例３においても、前述の実施例１及び２の場合と同様、長孔２の内径側及び枢支軸８の外径側にそれぞれ軸芯と平行に凹凸溝を形成するなどして枢支軸８の開き角度変更の際に抵抗感を付与する様にしても良い。
【産業上の利用可能性】
【００１７】
樹脂製メガネフレームの分野において大なる利用可能性を有している。
【図面の簡単な説明】
【００１８】
【図１】この発明に係る樹脂製メガネフレーム用のノーズパッドの実施例１の拡大斜視図。
【図２】同じく、メガネフレームへの取付要領を示す為、各部を分離して描いた斜視図。
【図３】同じく、メガネフレームに取り付けた状態の斜視図。
【図４】この発明に係る樹脂製メガネフレーム用のノーズパッドの実施例２の拡大斜視図。
【図５】同じく、メガネフレームへの取付要領を示す為、各部を分離して描いた斜視図。
【図６】同じく、メガネフレームに取り付けた状態の斜視図。
【図７】この発明に係る樹脂製メガネフレーム用のノーズパッドの実施例３の各部を分離して描いたその斜視図。
【図８】同じく、この拡大斜視図。
【符号の説明】
【００１９】
１    台座ブロック
２    長孔
３    ノーズパッド本体
４    鼻接触板
５    裏面
６    突起
７    端面
８    枢支軸
９    鼻当て部
１０    底面
１１    パッド脚
１２    ノーズパッド本体
１３    パッドボックス
【図１】
2009210952.tif 000003
【図２】
2009210952.tif 000004
【図３】
2009210952.tif 000005
【図４】
2009210952.tif 000006
【図５】
2009210952.tif 000007
【図６】
2009210952.tif 000008
【図７】
2009210952.tif 000009
【図８】
2009210952.tif 000010